(57)【特許請求の範囲】
【請求項１】
スイッチ装置と、照明制御装置と、を備える照明制御システムであって、
前記スイッチ装置は、
複数のスイッチ手段と、
前記照明制御装置と通信を行う通信手段と、を備え、
前記複数のスイッチ手段のそれぞれは、ユーザから第１の操作を受け付ける第１の操作受付手段と、ユーザから第２の操作を受け付ける第２の操作受付手段と、を有し、
前記照明制御装置は、
前記スイッチ装置と通信を行うスイッチ通信手段と、
複数の照明器具のそれぞれと通信を行う照明通信手段と、
ユーザから前記第１の操作を受け付けた場合、ユーザが操作したスイッチ手段に対応する１又は複数の照明器具に予め定めた照明を行わせ、ユーザから前記第２の操作を受け付けた場合、ユーザから前記第１の操作を受け付ける前の当該１又は複数の照明器具の動作状態が消灯状態であった場合には、当該１又は複数の照明器具を通常時の照度で点灯させ、前記動作状態が点灯状態であった場合には、当該１又は複数の照明器具を消灯させる照明制御手段と、を備える、照明制御システム。
【請求項２】
前記複数のスイッチ手段のそれぞれにおいて、
前記第１の操作受付手段は、ユーザのタッチ操作を前記第１の操作として受け付け、
前記第２の操作受付手段は、ユーザの押下操作を前記第２の操作として受け付ける、請求項１に記載の照明制御システム。
【請求項３】
前記第１の操作受付手段は、ユーザのタッチ操作を検知するタッチセンサであり、
前記第１の操作受付手段は、ユーザの押下操作を検知する押しボタンスイッチである、請求項２に記載の照明制御システム。
【請求項４】
スイッチ装置と、照明制御装置と、を備える照明制御システムであって、
前記スイッチ装置は、
複数のスイッチ手段と、
前記照明制御装置と通信を行う通信手段と、を備え、
前記複数のスイッチ手段のそれぞれは、ユーザから第１の操作を受け付ける第１の操作受付手段と、ユーザから第２の操作を受け付ける第２の操作受付手段と、を有し、
前記照明制御装置は、
前記スイッチ装置と通信を行うスイッチ通信手段と、
複数の照明器具のそれぞれと通信を行う照明通信手段と、
ユーザから前記第１の操作を受け付けた場合には、ユーザが操作したスイッチ手段に対応する１又は複数の照明器具に予め定めた照明を行わせ、ユーザから前記第２の操作を受け付けた場合には、ユーザが操作したスイッチ手段に対応する１又は複数の照明器具を点灯又は消灯させる照明制御手段と、を備え、
前記複数のスイッチ手段のそれぞれにおいて、
前記第２の操作受付手段は、同一のスイッチ手段を構成する前記第１の操作受付手段が、ユーザから前記第１の操作を受け付けてから、予め定めた時間以内に再度ユーザから前記第１の操作を受け付けなかった場合に、ユーザから前記第２の操作を受け付けたものとみなす、照明制御システム。
【請求項５】
前記スイッチ装置は、前記複数のスイッチ手段のそれぞれに対応する１又は複数の照明器具における現在の動作状態を示す情報を表示する表示手段を備える、請求項１から４の何れか１項に記載の照明制御システム。
【請求項６】
スイッチ装置と、照明制御装置と、光軸が変更可能な１つの確認用照明器具と、を備える照明制御システムであって、
前記スイッチ装置は、
複数のスイッチ手段と、
前記照明制御装置と通信を行う通信手段と、を備え、
前記複数のスイッチ手段のそれぞれは、ユーザから第１の操作を受け付ける第１の操作受付手段と、ユーザから第２の操作を受け付ける第２の操作受付手段と、を有し、
前記照明制御装置は、
前記スイッチ装置と通信を行うスイッチ通信手段と、
前記確認用照明器具とは異なる複数の通常用照明器具のそれぞれと通信を行う通常用照明通信手段と、
前記確認用照明器具と通信を行う確認用照明通信手段と、
ユーザから前記第１の操作を受け付けた場合には、前記確認用照明器具に、ユーザが操作したスイッチ手段に対応する１又は複数の通常用照明器具の設置場所の照明を行わせる確認用照明制御手段と、
ユーザから前記第２の操作を受け付けた場合には、ユーザが操作したスイッチ手段に対応する１又は複数の通常用照明器具を点灯又は消灯させる通常用照明制御手段と、を備える、照明制御システム。
【請求項７】
スイッチ装置と、照明制御装置と、確認用照明器具と、を備える照明制御システムであって、
前記スイッチ装置は、
複数のスイッチ手段と、
前記照明制御装置と通信を行う通信手段と、を備え、
前記複数のスイッチ手段のそれぞれは、ユーザから第１の操作を受け付ける第１の操作受付手段と、ユーザから第２の操作を受け付ける第２の操作受付手段と、を有し、
前記照明制御装置は、
前記スイッチ装置と通信を行うスイッチ通信手段と、
複数の通常用照明器具のそれぞれと通信を行う通常用照明通信手段と、
前記確認用照明器具と通信を行う確認用照明通信手段と、
ユーザから前記第１の操作を受け付けた場合には、前記確認用照明器具に、ユーザが操作したスイッチ手段に対応する１又は複数の通常用照明器具の設置場所の照明を行わせる確認用照明制御手段と、
ユーザから前記第２の操作を受け付けた場合には、ユーザが操作したスイッチ手段に対応する１又は複数の通常用照明器具を点灯又は消灯させる通常用照明制御手段と、を備え、
前記複数のスイッチ手段のそれぞれにおいて、
前記第２の操作受付手段は、同一のスイッチ手段を構成する前記第１の操作受付手段が、ユーザから前記第１の操作を受け付けてから、予め定めた時間以内に再度ユーザから前記第１の操作を受け付けなかった場合に、ユーザから前記第２の操作を受け付けたものとみなす、照明制御システム。
【請求項８】
スイッチ装置と、照明制御装置と、複数の確認用照明器具と、を備える照明制御システムであって、
前記スイッチ装置は、
複数のスイッチ手段と、
前記照明制御装置と通信を行う通信手段と、を備え、
前記複数のスイッチ手段のそれぞれは、ユーザから第１の操作を受け付ける第１の操作受付手段と、ユーザから第２の操作を受け付ける第２の操作受付手段と、を有し、
前記照明制御装置は、
前記スイッチ装置と通信を行うスイッチ通信手段と、
複数の通常用照明器具のそれぞれと通信を行う通常用照明通信手段と、
前記複数の確認用照明器具のそれぞれと通信を行う確認用照明通信手段と、
ユーザから第１の操作を受け付けた場合には、ユーザが操作したスイッチ手段に対応する１又は複数の確認用照明器具に予め定めた照明を行わせる確認用照明制御手段と、
ユーザから第２の操作を受け付けた場合には、ユーザが操作したスイッチ手段に対応する１又は複数の通常用照明器具を点灯又は消灯させる通常用照明制御手段と、を備え、
前記複数のスイッチ手段のそれぞれにおいて、
前記第２の操作受付手段は、同一のスイッチ手段を構成する前記第１の操作受付手段が、ユーザから前記第１の操作を受け付けてから、予め定めた時間以内に再度ユーザから前記第１の操作を受け付けなかった場合に、ユーザから前記第２の操作を受け付けたものとみなす、照明制御システム。
【請求項９】
ユーザから第１の操作を受け付ける第１の操作受付手段と、ユーザから第２の操作を受け付ける第２の操作受付手段とを有するスイッチ手段を複数備えるスイッチ装置と通信を行って、前記スイッチ装置から、ユーザが操作したスイッチ手段を識別するスイッチ識別情報と、ユーザから受け付けた操作を識別する操作識別情報とを含む操作情報を受信するスイッチ通信手段と、
複数の照明器具のそれぞれと通信を行う照明通信手段と、
受信した操作情報に含まれる前記スイッチ識別情報に基づいて、操作対象となる１又は複数の照明器具を判別する対象判別手段と、
前記操作情報に含まれる前記操作識別情報が前記第１の操作を示す場合、前記判別された１又は複数の照明器具に予め定めた照明を行わせ、前記操作識別情報が前記第２の操作を示す場合、前記判別された１又は複数の照明器具の前記予め定めた照明を行う前の動作状態が消灯状態であった場合には、当該１又は複数の照明器具を通常時の照度で点灯させ、前記動作状態が点灯状態であった場合には、当該１又は複数の照明器具を消灯させる照明制御手段と、を備える、照明制御装置。
【請求項１０】
ユーザから第１の操作を受け付ける第１の操作受付手段と、ユーザから第２の操作を受け付ける第２の操作受付手段とを有するスイッチ手段を複数備えるスイッチ装置と通信を行って、前記スイッチ装置から、ユーザが操作したスイッチ手段を識別するスイッチ識別情報と、ユーザから受け付けた操作を識別する操作識別情報とを含む操作情報を受信するスイッチ通信手段と、
複数の照明器具のそれぞれと通信を行う照明通信手段と、
受信した操作情報に含まれる前記スイッチ識別情報に基づいて、操作対象となる１又は複数の照明器具を判別する対象判別手段と、
前記操作情報に含まれる前記操作識別情報が前記第１の操作を示す場合には、前記判別された１又は複数の照明器具に予め定めた照明を行わせ、前記操作識別情報が前記第２の操作を示す場合には、前記判別された１又は複数の照明器具を点灯又は消灯させる照明制御手段と、を備え、
前記複数のスイッチ手段のそれぞれにおいて、
前記第２の操作受付手段は、同一のスイッチ手段を構成する前記第１の操作受付手段が、ユーザから前記第１の操作を受け付けてから、予め定めた時間以内に再度ユーザから前記第１の操作を受け付けなかった場合に、ユーザから前記第２の操作を受け付けたものとみなす、照明制御装置。
【請求項１１】
ユーザから第１の操作を受け付ける第１の操作受付手段と、ユーザから第２の操作を受け付ける第２の操作受付手段とを有するスイッチ手段を複数備えるスイッチ装置と通信を行って、前記スイッチ装置から、ユーザが操作したスイッチ手段を識別するスイッチ識別情報と、ユーザから受け付けた操作を識別する操作識別情報とを含む操作情報を受信するスイッチ通信手段と、
複数の通常用照明器具のそれぞれと通信を行う通常用照明通信手段と、
光軸が変更可能であり、前記複数の通常用照明器具の何れとも異なる１つの確認用照明器具と通信を行う確認用照明通信手段と、
受信した操作情報に含まれる前記スイッチ識別情報に基づいて、操作対象となる１又は複数の通常用照明器具を判別する対象判別手段と、
受信した操作情報に含まれる前記操作識別情報が前記第１の操作を示す場合には、前記確認用照明器具に、天井における前記判別された１又は複数の通常用照明器具の設置場所の照明を行わせる確認用照明制御手段と、
受信した操作情報に含まれる前記操作識別情報が前記第２の操作を示す場合には、前記判別された１又は複数の通常用照明器具を点灯又は消灯させる通常用照明制御手段と、を備える、照明制御装置。
【請求項１２】
ユーザから第１の操作を受け付ける第１の操作受付手段と、ユーザから第２の操作を受け付ける第２の操作受付手段とを有するスイッチ手段を複数備えるスイッチ装置と通信を行って、前記スイッチ装置から、ユーザが操作したスイッチ手段を識別するスイッチ識別情報と、ユーザから受け付けた操作を識別する操作識別情報とを含む操作情報を受信するスイッチ通信手段と、
複数の通常用照明器具のそれぞれと通信を行う通常用照明通信手段と、
確認用照明器具と通信を行う確認用照明通信手段と、
受信した操作情報に含まれる前記スイッチ識別情報に基づいて、操作対象となる１又は複数の通常用照明器具を判別する対象判別手段と、
受信した操作情報に含まれる前記操作識別情報が前記第１の操作を示す場合には、前記確認用照明器具に、天井における前記判別された１又は複数の通常用照明器具の設置場所の照明を行わせる確認用照明制御手段と、
受信した操作情報に含まれる前記操作識別情報が前記第２の操作を示す場合には、前記判別された１又は複数の通常用照明器具を点灯又は消灯させる通常用照明制御手段と、を備え、
前記複数のスイッチ手段のそれぞれにおいて、
前記第２の操作受付手段は、同一のスイッチ手段を構成する前記第１の操作受付手段が、ユーザから前記第１の操作を受け付けてから、予め定めた時間以内に再度ユーザから前記第１の操作を受け付けなかった場合に、ユーザから前記第２の操作を受け付けたものとみなす、照明制御装置。
【請求項１３】
ユーザから第１の操作を受け付ける第１の操作受付手段と、ユーザから第２の操作を受け付ける第２の操作受付手段とを有するスイッチ手段を複数備えるスイッチ装置と通信を行って、前記スイッチ装置から、ユーザが操作したスイッチ手段を識別するスイッチ識別情報と、ユーザから受け付けた操作を識別する操作識別情報とを含む操作情報を受信するスイッチ通信手段と、
複数の通常用照明器具のそれぞれと通信を行う通常用照明通信手段と、
複数の確認用照明器具のそれぞれと通信を行う確認用照明通信手段と、
受信した操作情報に含まれる前記スイッチ識別情報に基づいて、操作対象となる１又は複数の通常用照明器具を判別する第１の対象判別手段と、
受信した操作情報に含まれる前記スイッチ識別情報に基づいて、操作対象となる１又は複数の確認用照明器具を判別する第２の対象判別手段と、
受信した操作情報に含まれる前記操作識別情報が前記第１の操作を示す場合には、前記判別された１又は複数の確認用照明器具に予め定めた照明を行わせる確認用照明制御手段と、
受信した操作情報に含まれる前記操作識別情報が前記第２の操作を示す場合には、前記判別された１又は複数の通常用照明器具を点灯又は消灯させる通常用照明制御手段と、を備え、
前記複数のスイッチ手段のそれぞれにおいて、
前記第２の操作受付手段は、同一のスイッチ手段を構成する前記第１の操作受付手段が、ユーザから前記第１の操作を受け付けてから、予め定めた時間以内に再度ユーザから前記第１の操作を受け付けなかった場合に、ユーザから前記第２の操作を受け付けたものとみなす、照明制御装置。
【発明の詳細な説明】
【技術分野】
【０００１】
本発明は、ビル等に設置された照明器具の照明制御を行うための技術に関する。
【背景技術】
【０００２】
例えば、オフィスビル等における各部屋においては、一般に、複数の照明器具が設置され、各部屋の出入口付近に設置されたスイッチ装置（スイッチ盤）に設けられた複数のスイッチの何れかを操作することで、目的の照明器具を点灯させ、あるいは消灯させることができる。
【０００３】
各部屋を利用する社員等のユーザは、通常、節電のため、帰宅等の際、自己が利用していたエリアに他のユーザが居ない場合には、当該エリアに対応する１又は複数の照明器具を消灯させることが奨励されている。
【０００４】
しかしながら、スイッチ装置に多くのスイッチが設けられている場合、目的のものとは別の照明器具に対応するスイッチを誤って操作してしまい、当該別の照明器具を意図せずに点灯させ、あるいは消灯させてしまうことも多々ある。
【０００５】
例えば、あるエリアにおいて作業中のユーザが居るにもかかわらず、当該エリアに対応する照明器具が消灯されると、当該ユーザの作業に支障が出たり、不快感を与えてしまう虞がある。
【０００６】
この点に関し、例えば特許文献１には、照明操作端末に、照明装置の操作ボタンに対応付けられるようにして、当該照明装置が照明を行う領域の画像を表示することで、ユーザの誤った操作を防止する技術が開示されている。
【先行技術文献】
【特許文献】
【０００７】
【特許文献１】特開２０１３−６５４６５号公報
【発明の概要】
【発明が解決しようとする課題】
【０００８】
しかしながら、オフィスビル等における各部屋では、同一形状の机等が規則的に配置されていることが多く、画像だけでは、目的とする照明領域を正確に把握することが困難な場合もある。
【０００９】
本発明は、上記の問題を解決するためになされたものであり、照明器具の消灯又は点灯について、ユーザの誤操作の防止が図れる照明制御システム等を提供することを目的とする。
【課題を解決するための手段】
【００１０】
上記目的を達成するため、本発明に係る照明制御システムは、
スイッチ装置と、照明制御装置と、を備える照明制御システムであって、
前記スイッチ装置は、
複数のスイッチ手段と、
前記照明制御装置と通信を行う通信手段と、を備え、
前記複数のスイッチ手段のそれぞれは、ユーザから第１の操作を受け付ける第１の操作受付手段と、ユーザから第２の操作を受け付ける第２の操作受付手段と、を有し、
前記照明制御装置は、
前記スイッチ装置と通信を行うスイッチ通信手段と、
複数の照明器具のそれぞれと通信を行う照明通信手段と、
ユーザから前記第１の操作を受け付けた場合、ユーザが操作したスイッチ手段に対応する１又は複数の照明器具に予め定めた照明を行わせ、ユーザから前記第２の操作を受け付けた場合、ユーザから前記第１の操作を受け付ける前の当該１又は複数の照明器具の動作状態が消灯状態であった場合には、当該１又は複数の照明器具を通常時の照度で点灯させ、前記動作状態が点灯状態であった場合には、当該１又は複数の照明器具を消灯させる照明制御手段と、を備える。
【発明の効果】
【００１１】
本発明によれば、ユーザに、第１の操作を行ったスイッチ手段に対応する照明器具を容易に認識させることができる。このため、照明器具を消灯又は点灯させるための第２の操作について、ユーザの誤操作の防止が図れる。
【図面の簡単な説明】
【００１２】
【図１】本発明の実施形態１に係る照明制御システムの全体構成を示す図である。
【図２】照明器具の配置を示す図である。
【図３】スイッチ装置の構成を示す図である。
【図４】スイッチ部の構成を示す図である。
【図５】実施形態１の照明制御装置の構成を示す図である。
【図６】実施形態１の照明制御装置が備える制御部の機能構成を示す図である。
【図７】実施形態１の照明制御処理の手順を示すフローチャートである。
【図８】本発明の実施形態２に係る照明制御システムの全体構成を示す図である。
【図９】実施形態２の照明制御装置の構成を示す図である。
【図１０】実施形態２の照明制御装置が備える制御部の機能構成を示す図である。
【図１１】実施形態２の照明制御処理の手順を示すフローチャートである。
【図１２】本発明の実施形態３に係る照明制御システムの全体構成を示す図である。
【図１３】実施形態３の照明制御装置の構成を示す図である。
【図１４】実施形態３の照明制御装置が備える制御部の機能構成を示す図である。
【図１５】本発明の他の実施形態に係る照明制御システムの全体構成を示す図である。
【発明を実施するための形態】
【００１３】
以下、本発明の実施形態について図面を参照して詳細に説明する。
【００１４】
（実施形態１）
図１は、本発明の実施形態１に係る照明制御システム１の全体構成を示す図である。照明制御システム１は、オフィスビルや商業ビル等において照明を行うシステムであり、スイッチ装置２と、照明制御装置３と、複数の照明器具４（４Ａ〜４Ｆ）と、を備える。
【００１５】
照明制御装置３と各照明器具４は、通信線５を介して互いに通信可能に接続されている。また、照明制御装置３とスイッチ装置２は、通信線６を介して互いに通信可能に接続されている。なお、照明制御装置３と各照明器具４との間の通信が、予め定めた無線通信方式にて行われるようにしてもよい。同様に、照明制御装置３とスイッチ装置２との間の通信が、予め定めた無線通信方式にて行われるようにしてもよい。
【００１６】
照明器具４は、当該ビル内の部屋Ａの天井に、それぞれ、与えられたエリアの照明を行うために設置されている。本実施形態の例では、図２に示すように、照明器具４Ａ〜４Ｆは、それぞれ、部屋ＡにおけるエリアＡ〜エリアＦの照明を行う。各照明器具４は、照明制御装置３からの制御コマンドを受信すると、かかる制御コマンドの内容に従って、消灯・点灯動作を行ったり、照度や色温度等を変更した照明を行う。なお、本実施形態では、照明器具４Ｃ及び４Ｄはグループ化されており、両者は、ユーザによる一の操作により、同一の照明動作を行う。同様に、照明器具４Ｅ及び４Ｆもグループ化されており、ユーザによる一の操作により、同一の照明動作を行う。
【００１７】
スイッチ装置２は、各照明器具４に対する操作をユーザから受け付けるための装置であり、部屋Ａにおける出入口付近の壁に、内側（部屋Ａの中）から操作できるように設置されている。なお、スイッチ装置２は、壁に固定設置されているのではなく、持ち運び可能な態様で設置されていてもよい。スイッチ装置２は、図３に示すように、４つのスイッチ部２０（２０Ａ〜２０Ｄ）と、通信部２１と、制御部２２と、を備える。これらの各構成部は、バス２３を介して相互に接続される。
【００１８】
各スイッチ部２０は、ユーザから照明器具４の照明に係る操作を受け付ける。詳細には、スイッチ部２０Ａ及び２０Ｂは、それぞれ、ユーザから照明器具４Ａ及び４Ｂの照明に係る操作を受け付け、スイッチ部２０Ｃは、ユーザから照明器具４Ｃ及び４Ｄの照明に係る操作を受け付け、スイッチ部２０Ｄは、ユーザから照明器具４Ｅ及び４Ｆの照明に係る操作を受け付ける。
【００１９】
各スイッチ部２０は、図４に示すように、第１の操作受付部２００と、第２の操作受付部２０１とを備える。第１の操作受付部２００は、ユーザによるタッチ操作を検知するタッチセンサを含んで構成される。第２の操作受付部２０１は、ユーザによる押下操作（押し下げ操作）を検知する押しボタンスイッチを含んで構成される。より詳細には、第１の操作受付部２００におけるタッチセンサは、第２の操作受付部２０１における押しボタンスイッチの上部に設けられている。つまり、各スイッチ部２０は、第１の操作受付部２００におけるタッチセンサと、第２の操作受付部２０１における押しボタンスイッチとから構成される１つの操作ボタンを備えていることになる。
【００２０】
ユーザは、かかる操作ボタンに対して、タッチ操作することで第１の操作を行い、押下操作することで第２の操作を行うことができる。
【００２１】
スイッチ部２０は、ユーザからの第１の操作又は第２の操作を受け付けると、その旨の信号を制御部２２に送出する。なお、ユーザが、意識的にタッチ操作（第１の操作）を行わずに、押下操作（第２の操作）を直ちに行った場合であっても、第１の操作受付部２００はタッチ操作を検知する。したがって、この場合は、先ず、スイッチ部２０から第１の操作を検知した旨を示す信号が制御部２２に送出され、それから、第２の操作を検知した旨を示す信号が制御部２２に送出されることになる。
【００２２】
通信部２１は、照明制御装置３と通信線６を介して予め定めた通信方式に則った通信を行うための通信インタフェースである。通信部２１は、何れかのスイッチ部２０によって、ユーザからの第１の操作又は第２の操作が受け付けられた場合に、制御部２２によって生成された操作情報（詳細は後述する。）を照明制御装置３に送信する。
【００２３】
制御部２２は、何れも図示しないが、ＣＰＵ（Central Processing Unit）、ＲＯＭ（Read Only Memory）、ＲＡＭ（Random Access Memory）、フラッシュメモリ等の読み書き可能な不揮発性の半導体メモリ等を備え、スイッチ装置２を統括制御する。制御部２２は、４つのスイッチ部２０Ａ〜２０Ｄの何れかが、第１の操作又は第２の操作をユーザから受け付けた場合、当該スイッチ部２０を識別するスイッチ識別情報と、ユーザから受け付けた操作を識別する操作識別情報とを含む操作情報を生成し、通信部２１に供給する。通信部２１は、供給された操作情報を照明制御装置３に送信する。
【００２４】
スイッチ識別情報は、スイッチ部２０Ａ〜２０Ｄを識別できる情報であればよく、例えば、１〜４の数値を用いてもよい。この場合、“１”がスイッチ部２０Ａに対応し、“２”がスイッチ部２０Ｂに対応し、“３”がスイッチ部２０Ｃに対応し、“４”がスイッチ部２０Ｄに対応するように予め定めておけばよい。
【００２５】
また、操作識別情報は、ユーザから受け付けた操作（第１の操作又は第２の操作）を識別できる情報であればよく、例えば、１〜２の数値を用いてもよい。この場合、“１”が第１の操作に対応し、“２”が第２の操作に対応するように予め定めておけばよい。
【００２６】
なお、第１の操作が行われた後、ユーザにより、再度、同一の操作ボタンに対して、第１の操作が行われた場合、制御部２２は、先の第１の操作が取り消されたことを示す情報（取消情報）を生成し、通信部２１を介して照明制御装置３に送信する。
【００２７】
照明制御装置３は、部屋Ａの内外や近辺を問わず、当該ビル内における適切な場所に設置され、スイッチ装置２から送信された操作情報に基づいて、対応する照明器具４の照明動作を制御する。照明制御装置３は、図５に示すように、スイッチ通信部３０と、照明通信部３１と、データ記憶部３２と、制御部３３と、を備える。これらの構成部は、バス３４を介して相互に接続される。
【００２８】
スイッチ通信部３０は、スイッチ装置２と通信線６を介して予め定めた通信方式に則った通信を行うための通信インタフェースである。照明通信部３１は、例えば、ネットワークカード等の通信インタフェースを含んで構成され、制御部３３の制御の下、通信線５を介して、各照明器具４と予め定めた通信方式に則った通信を行う。
【００２９】
データ記憶部３２は、例えば、フラッシュメモリ等の読み書き可能な不揮発性の半導体メモリ等で構成される。データ記憶部３２は、各照明器具４を制御するためのプログラムやデータ等を記憶する。
【００３０】
制御部３３は、何れも図示しないが、ＣＰＵ、ＲＯＭ、ＲＡＭ等を含んで構成され、照明制御装置３を統括制御する。制御部３３は、機能的には、図６に示すように、対象判別部３３０と、照明制御部３３１とを備える。対象判別部３３０は、スイッチ装置２から送信され、スイッチ通信部３０により受信された操作情報に含まれるスイッチ識別情報に基づいて、操作対象となる照明器具４を判別する。
【００３１】
具体的には、スイッチ識別情報と、照明器具４の機器アドレスとの対応関係を示すテーブルが、予めデータ記憶部３２に記憶されており、対象判別部３３０は、受信した操作情報に含まれるスイッチ識別情報に対応する機器アドレスを、このテーブルから検索して取得することで、操作対象となる照明器具４を判別する。例えば、操作情報にスイッチ識別情報として“１”が格納されていた場合、対象判別部３３０は、照明器具４Ａを操作対象として判別する。また、例えば、操作情報にスイッチ識別情報として“３”が格納されていた場合、対象判別部３３０は、照明器具４Ｃ及び４Ｄを操作対象として判別する。
【００３２】
照明制御部３３１は、受信した操作情報に含まれる操作識別情報が第１の操作を示す場合には、操作対象として対象判別部３３０により判別された照明器具４に予め定めた照明（確認用照明）を行わせる。一方、受信した操作情報に含まれる操作識別情報が第２の操作を示す場合には、判別された照明器具４を点灯又は消灯させる。
【００３３】
操作識別情報が第１の操作を示す場合、具体的には、照明制御部３３１は、判別された照明器具４の現在の動作状態が「点灯」状態である場合、通常時の５０％まで照度を低下させるための制御コマンドを生成する。一方、判別された照明器具４の現在の動作状態が「消灯」状態である場合、照明制御部３３１は、通常時の５０％の照度で点灯させるための制御コマンドを生成する。そして、照明制御部３３１は、生成した制御コマンドを操作対象として判別された照明器具４に送信する。なお、各照明器具４の現在の動作状態を示すデータは、データ記憶部３２に記憶され、照明制御部３３１により適宜更新される。
【００３４】
なお、照明制御部３３１は、操作識別情報が第１の操作を示す場合、既に、確認用照明を行っている照明器具４がある場合には、当該照明器具４を元の状態に戻す。具体的には、通常時の５０％まで照度を低下させた照明器具４の照度を元に戻す。あるいは、通常時の５０％の照度で点灯させた照明器具４を消灯させる。
【００３５】
また、照明制御部３３１は、上述した取消情報がスイッチ通信部３０により受信されると、先に行った第１の操作に基づく照明制御を解除する。具体的には、上記同様、通常時の５０％まで照度を低下させた照明器具４の照度を元に戻し、あるいは、通常時の５０％の照度で点灯させた照明器具４を消灯させる。
【００３６】
操作識別情報が第２の操作を示す場合、照明制御部３３１は、判別された照明器具４に対し、ユーザから第１の操作を受け付ける前の動作状態に応じた制御を行う。具体的には、照明制御部３３１は、判別された照明器具４が第１の操作前は点灯状態であった場合、当該照明器具４を消灯させるための制御コマンドを生成する。一方、判別された照明器具４が第１の操作前は消灯状態であった場合には、当該照明器具４を通常時の照度で点灯させるための制御コマンドを生成する。そして、照明制御部３３１は、生成した制御コマンドを操作対象として判別された照明器具４に送信する。
【００３７】
図７は、照明制御装置３によって実行される照明制御処理の手順を示すフローチャートである。スイッチ通信部３０によりスイッチ装置２からの操作情報が受信されると（ステップＳ１０１；ＹＥＳ）、対象判別部３３０は、受信された操作情報に含まれるスイッチ識別情報に基づいて、操作対象となる照明器具４を判別する（ステップＳ１０２）。
【００３８】
受信した操作情報に含まれる操作識別情報がタッチ操作（第１の操作）を示す場合（ステップＳ１０３；ＹＥＳ）、照明制御部３３１は、操作対象として判別された照明器具４の現在の動作状態を判別する。現在の動作状態が点灯状態の場合（ステップＳ１０４；ＹＥＳ）、照明制御部３３１は、操作対象として判別された照明器具４の照度を通常時の５０％まで低下させる（ステップＳ１０５）。即ち、照明制御部３３１は、通常時の５０％まで照度を低下させるための制御コマンドを生成し、生成した制御コマンドを操作対象として判別された照明器具４に照明通信部３１を介して送信する。
【００３９】
一方、現在の動作状態が点灯状態でない、即ち、消灯状態である場合（ステップＳ１０４；ＮＯ）、照明制御部３３１は、操作対象として判別された照明器具４を通常時の５０％の照度で点灯させる（ステップＳ１０６）。即ち、照明制御部３３１は、通常時の５０％の照度で点灯させるための制御コマンドを生成し、生成した制御コマンドを操作対象として判別された照明器具４に照明通信部３１を介して送信する。
【００４０】
受信した操作情報に含まれる操作識別情報がタッチ操作（第１の操作）でない、即ち、押下操作（第２の操作）を示す場合（ステップＳ１０３；ＮＯ）、照明制御部３３１は、操作対象として判別された照明器具４の第１の操作前の動作状態を判別する。
【００４１】
第１の操作前は点灯状態であった場合（ステップＳ１０７；ＹＥＳ）、照明制御部３３１は、操作対象として判別された照明器具４を消灯させる（ステップＳ１０８）。即ち、照明制御部３３１は、消灯させるための制御コマンドを生成し、生成した制御コマンドを操作対象として判別された照明器具４に照明通信部３１を介して送信する。
【００４２】
一方、第１の操作前は消灯状態であった場合（ステップＳ１０７；ＮＯ）、照明制御部３３１は、操作対象として判別された照明器具４を通常時の照度で点灯させる（ステップＳ１０９）。即ち、照明制御部３３１は、通常時の照度で点灯させるための制御コマンドを生成し、生成した制御コマンドを操作対象として判別された照明器具４に照明通信部３１を介して送信する。
【００４３】
スイッチ通信部３０によりスイッチ装置２からの取消情報が受信されると（ステップＳ１１０；ＹＥＳ）、照明制御部３３１は、先に行った第１の操作に基づく照明制御を解除する（ステップＳ１１１）。具体的には、通常時の５０％まで照度を低下させた照明器具４に対しては、照度を元に戻すための制御コマンドを照明通信部３１を介して送信する。一方、通常時の５０％の照度で点灯させた照明器具４に対しては、消灯させるための制御コマンドを照明通信部３１を介して送信する。
【００４４】
以上説明したように、実施形態１の照明制御システム１では、ユーザは、帰宅時など、部屋Ａにおける自分が使用していたエリアに対応する照明器具４を消灯させる必要がある場合、スイッチ装置２の対応する操作ボタン（より詳細には、当該ユーザが対応していると判断した操作ボタン）をタッチ操作することで、照度が５０％低下する照明器具４を視認することができる。これにより、ユーザは、当該操作した操作ボタンが、自分が消灯させようとする照明器具４に対応するものであるか否かを認識することができ、間違いないと認識した場合には、引き続き、当該操作ボタンを押下操作することで、目的の照明器具４を正確に消灯させることができる。
【００４５】
一方、ユーザは、出勤時など、部屋Ａにおける自分が使用する予定のエリアに対応する照明器具４を点灯させる必要がある場合、スイッチ装置２において、当該ユーザが対応していると判断した操作ボタンをタッチ操作することで、５０％の照度で点灯する照明器具４を視認することができる。これにより、ユーザは、当該操作した操作ボタンが、自分が点灯させようとする照明器具４に対応するものであるか否かを認識することができ、間違いないと認識した場合には、引き続き、当該操作ボタンを押下操作することで、目的の照明器具４を正確に点灯させることができる。
【００４６】
このように、実施形態１の照明制御システム１によれば、ユーザの誤操作の防止が図れるため、例えば、目的の照明器具４を消灯させようとする際に誤って別の照明器具４を消灯させてしまうことを防止できる。
【００４７】
また、例えば、消灯する際の第１の操作では、対象の照明器具４の照度を通常の５０％まで低下させるだけなので、仮に、目的とは異なる照明器具４に対して操作した場合であっても、対応するエリアに居る人の作業に支障が出ることがなく、不快感等を与える心配がない。
【００４８】
なお、実施形態１の照明制御システム１には様々な変形例が存在し得る。
【００４９】
例えば、第１の操作時において、対象となる照明器具４の照度は通常時の５０％に限定されることはない。照度をどの程度にするかは任意の設計事項である。但し、上述したように、目的とは異なる照明器具４に対して操作してしまったとしても、対応するエリアに居る人に不快感等を与えない程度の値にするのが好ましい。
【００５０】
また、照明器具４がＬＥＤを備えている場合には、第１の操作時において、対象となる照明器具４に対して通常時の照明とは異なる色で表示させてもよい。
【００５１】
また、照明制御装置３は、第１の操作に基づく照明制御を一定時間（例えば、１０秒）経過すると自動的に解除してもよい。
【００５２】
また、スイッチ装置２において、現在の動作状態を表示する表示器を各操作ボタンに隣接して設けてもよい。例えば、かかる表示器の点灯有無や発光色により、対応する照明器具４が点灯状態であるか消灯状態であるかが示されるようにしてもよい。
【００５３】
また、操作ボタンに押しボタンスイッチが含まれないように構成してもよい。この場合、第２の操作受付部２０１は、予め定めた時間（例えば、１０秒）以内に再度ユーザからタッチ操作（第１の操作）を受け付けなかった場合に、ユーザから第２の操作を受け付けたものとみなすようにすればよい。このようにすると、操作ボタンを簡易に実現することができ、低コスト化が図れる。
【００５４】
また、スイッチ装置２の各スイッチ部２０は、第１の操作受付部２００及び第２の操作受付部２０１のそれぞれに対応した２つの操作ボタンを備えるようにしてもよい。この場合、双方の操作ボタンが、タッチセンサを含んで構成されていてもよいし、押しボタンスイッチを含んで構成されていてもよいし、その他の周知の入力デバイスを含んで構成されていてもよい。
【００５５】
（実施形態２）
続いて、本発明の実施形態２について説明する。なお、以下の説明において、実施形態１と共通する構成要素等については、同一の符号を付し、その説明を省略する。
【００５６】
図８は、本発明の実施形態２に係る照明制御システム１Ａの全体構成を示す図である。照明制御システム１Ａは、スイッチ装置２と、照明制御装置３Ａと、複数の照明器具４（４Ａ〜４Ｆ）と、確認用照明器具７と、を備える。
【００５７】
照明制御装置３Ａと確認用照明器具７は、通信線８を介して互いに通信可能に接続されている。なお、照明制御装置３Ａと確認用照明器具７との間の通信が、予め定めた無線通信方式にて行われるようにしてもよい。確認用照明器具７は、照射方向（即ち、光軸）が変更可能な照明器具である。確認用照明器具７は、部屋Ａの天井面のほぼ全域を照射可能エリアとしてカバーできるように、部屋Ａの床の適切な場所に設置される。確認用照明器具７は、照明制御装置３Ａからの制御コマンドを受信すると、かかる制御コマンドで指定された方向の照明（確認用照明）を行う。
【００５８】
照明制御装置３Ａは、スイッチ装置２から送信された、第２の操作（押下操作）に基づく操作情報に基づいて、対応する照明器具４の照明動作を制御する。また、照明制御装置３Ａは、スイッチ装置２から送信された、第１の操作（タッチ操作）に基づく操作情報に基づいて、確認用照明器具７の照明動作を制御する。
【００５９】
図９に示すように、照明制御装置３Ａは、スイッチ通信部３０と、照明通信部３１と、データ記憶部３２と、制御部３３Ａと、確認用照明通信部３５を備える。これらの構成部は、バス３４を介して相互に接続される。
【００６０】
確認用照明通信部３５は、確認用照明器具７と通信線８を介して予め定めた通信方式に則った通信を行うための通信インタフェースである。
【００６１】
制御部３３Ａは、何れも図示しないが、ＣＰＵ、ＲＯＭ、ＲＡＭ等を含んで構成され、照明制御装置３Ａを統括制御する。制御部３３Ａは、機能的には、図１０に示すように、対象判別部３３０と、照明制御部３３１Ａと、確認用照明制御部３３２と、を備える。照明制御部３３１Ａは、受信した操作情報に含まれる操作識別情報が第２の操作を示す場合、操作対象として対象判別部３３０により判別された照明器具４を点灯又は消灯させる。
【００６２】
確認用照明制御部３３２は、受信した操作情報に含まれる操作識別情報が第１の操作を示す場合には、確認用照明器具７に、操作対象として判別された照明器具４の設置場所に向かって照射する照明を行わせる。具体的には、確認用照明制御部３３２は、操作対象として判別された照明器具４に対応する照射方向（光軸）を判別する。なお、照明器具４の機器アドレスと、照射方向との対応関係を示すテーブルは、データ記憶部３２に予め記憶されている。
【００６３】
そして、確認用照明制御部３３２は、点灯を指示する情報と、照射方向（光軸）を指示する情報とを格納した制御コマンドを生成し、生成した制御コマンドを確認用照明通信部３５を介して確認用照明器具７に送信する。
【００６４】
なお、確認用照明制御部３３２は、スイッチ通信部３０によって、スイッチ装置２からの取消情報が受信されると、確認用照明を停止（即ち、消灯）させるための制御コマンドを生成し、生成した制御コマンドを確認用照明通信部３５を介して確認用照明器具７に送信する。
【００６５】
図１１は、照明制御装置３Ａによって実行される照明制御処理の手順を示すフローチャートである。スイッチ通信部３０によりスイッチ装置２からの操作情報が受信されると（ステップＳ２０１；ＹＥＳ）、対象判別部３３０は、受信された操作情報に含まれるスイッチ識別情報に基づいて、操作対象となる照明器具４を判別する（ステップＳ２０２）。
【００６６】
受信した操作情報に含まれる操作識別情報がタッチ操作（第１の操作）を示す場合（ステップＳ２０３；ＹＥＳ）、確認用照明制御部３３２は、確認用照明器具７に、操作対象として判別された照明器具４の設置場所を照明させる（ステップＳ２０４）。
【００６７】
受信した操作情報に含まれる操作識別情報がタッチ操作（第１の操作）でない、即ち、押下操作（第２の操作）を示す場合（ステップＳ２０３；ＮＯ）、照明制御部３３１Ａは、操作対象として判別された照明器具４の現在の動作状態を判別する。現在の動作状態が点灯状態の場合（ステップＳ２０５；ＹＥＳ）、照明制御部３３１Ａは、操作対象として判別された照明器具４を消灯させる（ステップＳ２０６）。
【００６８】
一方、現在の動作状態が点灯状態でない、即ち、消灯状態である場合（ステップＳ２０５；ＮＯ）、照明制御部３３１Ａは、操作対象として判別された照明器具４を通常時の照度で点灯させる（ステップＳ２０７）。
【００６９】
スイッチ通信部３０によりスイッチ装置２からの取消情報が受信されると（ステップＳ２０８；ＹＥＳ）、確認用照明制御部３３２は、確認用照明器具７に確認用照明を停止させる（ステップＳ２０９）。
【００７０】
以上説明したように、実施形態２の照明制御システム１Ａでは、ユーザは、帰宅時など、部屋Ａにおける自分が使用していたエリアに対応する照明器具４を消灯させる必要がある場合、スイッチ装置２の対応する操作ボタン（より詳細には、当該ユーザが対応していると判断した操作ボタン）をタッチ操作することで、確認用照明器具７により照明される照明器具４を視認することができる。これにより、ユーザは、当該操作した操作ボタンが、自分が消灯させようとする照明器具４に対応するものであるか否かを認識することができ、間違いないと認識した場合には、引き続き、当該操作ボタンを押下操作することで、目的の照明器具４を正確に消灯させることができる。
【００７１】
一方、ユーザは、出勤時など、部屋Ａにおける自分が使用する予定のエリアに対応する照明器具４を点灯させる必要がある場合、スイッチ装置２において、当該ユーザが対応していると判断した操作ボタンをタッチ操作することで、確認用照明器具７により照明される照明器具４を視認することができる。これにより、ユーザは、当該操作した操作ボタンが、自分が点灯させようとする照明器具４に対応するものであるか否かを認識することができ、間違いないと認識した場合には、引き続き、当該操作ボタンを押下操作することで、目的の照明器具４を正確に点灯させることができる。
【００７２】
このように、実施形態２の照明制御システム１Ａによれば、ユーザの誤操作の防止が図れるため、例えば、目的の照明器具４を消灯させようとする際に誤って別の照明器具４を消灯させてしまうことを防止できる。
【００７３】
また、例えば、消灯する際の第１の操作では、対象の照明器具４の設置場所が確認用照明器具７により照明されるだけなので、仮に、目的とは異なる照明器具４に対して操作した場合であっても、対応するエリアに居る人の作業に支障が出ることがなく、不快感等を与える心配がない。
【００７４】
なお、照明制御装置３Ａは、確認用照明器具７による照明（確認用照明）を一定時間（例えば、１０秒）経過すると自動的に停止させるようにしてもよい。
【００７５】
また、スイッチ装置２には、前述した実施形態１と同様の変形例が存在し得る。
【００７６】
（実施形態３）
続いて、本発明の実施形態３について説明する。なお、以下の説明において、実施形態１と共通する構成要素等については、同一の符号を付し、その説明を省略する。
【００７７】
図１２は、本発明の実施形態３に係る照明制御システム１Ｂの全体構成を示す図である。照明制御システム１Ｂは、スイッチ装置２と、照明制御装置３Ｂと、複数の照明器具４（４Ａ〜４Ｆ）と、複数の確認用照明器具９（９Ａ〜９Ｆ）と、を備える。
【００７８】
照明制御装置３Ｂと各確認用照明器具９は、通信線１０を介して互いに通信可能に接続されている。なお、照明制御装置３Ｂと各確認用照明器具９との間の通信が、予め定めた無線通信方式にて行われるようにしてもよい。
【００７９】
確認用照明器具９Ａ〜９Ｆのそれぞれは、部屋Ａの天井における、照明器具４Ａ〜４Ｆの近傍に設置されている。各確認用照明器具９の照明能力は、各照明器具４の照明能力より低く、また、各確認用照明器具９の外形サイズは、各照明器具４の外形サイズより小さい。例えば、各確認用照明器具９は、３０ｍ程度離れたユーザであっても、その点灯や点滅を視認できる程度の照明能力を備えていればよい。各確認用照明器具９は、照明制御装置３Ｂからの制御コマンドを受信すると、かかる制御コマンドに応じた照明動作（確認用照明）を行う。
【００８０】
照明制御装置３Ｂは、スイッチ装置２から送信された、第２の操作（押下操作）に基づく操作情報に基づいて、対応する照明器具４の照明動作を制御する。また、照明制御装置３Ｂは、スイッチ装置２から送信された、第１の操作（タッチ操作）に基づく操作情報に基づいて、対応する確認用照明器具９の照明動作を制御する。
【００８１】
図１３に示すように、照明制御装置３Ｂは、スイッチ通信部３０と、照明通信部３１と、データ記憶部３２と、制御部３３Ｂと、確認用照明通信部３５Ａと、を備える。これらの構成部は、バス３４を介して相互に接続される。
【００８２】
確認用照明通信部３５Ａは、例えば、ネットワークカード等の通信インタフェースを含んで構成され、制御部３３Ｂの制御の下、通信線１０を介して、各確認用照明器具９と予め定めた通信方式に則った通信を行う。
【００８３】
制御部３３Ｂは、何れも図示しないが、ＣＰＵ、ＲＯＭ、ＲＡＭ等を含んで構成され、照明制御装置３Ｂを統括制御する。制御部３３Ｂは、機能的には、図１４に示すように、対象判別部３３０と、照明制御部３３１Ａと、確認用照明制御部３３２Ａと、確認用対象判別部３３３と、を備える。
【００８４】
確認用対象判別部３３３は、受信した操作情報に含まれる操作識別情報が第１の操作を示す場合、当該操作情報に含まれるスイッチ識別情報に基づいて、操作対象となる確認用照明器具９を判別する。
【００８５】
具体的には、スイッチ識別情報と、確認用照明器具９の機器アドレスとの対応関係を示すテーブルが、予めデータ記憶部３２に記憶されており、確認用対象判別部３３３は、受信した操作情報に含まれるスイッチ識別情報に対応する機器アドレスを、このテーブルから検索して取得することで、操作対象となる確認用照明器具９を判別する。例えば、操作情報にスイッチ識別情報として“１”が格納されていた場合、確認用対象判別部３３３は、確認用照明器具９Ａを操作対象として判別する。また、例えば、操作情報にスイッチ識別情報として“３”が格納されていた場合、確認用対象判別部３３３は、確認用照明器具９Ｃ及び９Ｄを操作対象として判別する。
【００８６】
確認用照明制御部３３２Ａは、受信した操作情報に含まれる操作識別情報が第１の操作を示す場合に、操作対象として確認用対象判別部３３３により判別された確認用照明器具９に予め定めた照明動作（点灯や点滅）を行わせる。
【００８７】
なお、確認用照明制御部３３２Ａは、操作識別情報が第１の操作を示す場合、既に、確認用照明を行っている確認用照明器具９がある場合には、当該確認用照明器具９に消灯を指示する。
【００８８】
また、確認用照明制御部３３２Ａは、スイッチ通信部３０によって、スイッチ装置２からの取消情報が受信されると、確認用照明を行っている確認用照明器具９に消灯を指示する。
【００８９】
以上説明したように、実施形態３の照明制御システム１Ｂでは、ユーザは、帰宅時など、部屋Ａにおける自分が使用していたエリアに対応する照明器具４を消灯させる必要がある場合、スイッチ装置２の対応する操作ボタン（より詳細には、当該ユーザが対応していると判断した操作ボタン）をタッチ操作することで、何れかの確認用照明器具９の点灯や点滅を視認することができる。これにより、ユーザは、当該操作した操作ボタンが、自分が消灯させようとする照明器具４に対応するものであるか否かを認識することができ、間違いないと認識した場合には、引き続き、当該操作ボタンを押下操作することで、目的の照明器具４を正確に消灯させることができる。
【００９０】
一方、ユーザは、出勤時など、部屋Ａにおける自分が使用する予定のエリアに対応する照明器具４を点灯させる必要がある場合、スイッチ装置２において、当該ユーザが対応していると判断した操作ボタンをタッチ操作することで、何れかの確認用照明器具９の点灯や点滅を視認することができる。これにより、ユーザは、当該操作した操作ボタンが、自分が点灯させようとする照明器具４に対応するものであるか否かを認識することができ、間違いないと認識した場合には、引き続き、当該操作ボタンを押下操作することで、目的の照明器具４を正確に点灯させることができる。
【００９１】
このように、実施形態３の照明制御システム１Ｂによれば、ユーザの誤操作の防止が図れるため、例えば、目的の照明器具４を消灯させようとする際に誤って別の照明器具４を消灯させてしまうことを防止できる。
【００９２】
また、例えば、消灯する際の第１の操作では、対象の照明器具４の近くに配置される確認用照明器具９が低照度で点灯又は点滅するだけでなので、仮に、目的とは異なる照明器具４に対して操作した場合であっても、対応するエリアに居る人の作業に支障が出ることがなく、不快感等を与える心配がない。
【００９３】
なお、照明制御装置３Ｂは、確認用照明器具９による照明（確認用照明）を一定時間（例えば、１０秒）経過すると自動的に停止させるようにしてもよい。
【００９４】
また、スイッチ装置２には、前述した実施形態１と同様の変形例が存在し得る。
【００９５】
本発明は、上記各実施形態に限定されず、本発明の要旨を逸脱しない範囲での種々の変更は勿論可能である。
【００９６】
例えば、図１５に示すように、実施形態１の照明制御システム１を、当該ビル内の複数の部屋の照明を行えるように構成してもよい。この場合、照明制御装置３は、各部屋（部屋Ａ，Ｂ，…）にそれぞれ設置された複数の照明器具４の各々と通信線５を介して通信可能に接続する。また、照明制御装置３は、各部屋に対応するスイッチ装置２と通信線６，１１，…を介して通信可能に接続する。同様に、実施形態２，３の照明制御システム１Ａ，１Ｂを、当該ビル内の複数の部屋の照明を行えるように構成することも可能である。
【００９７】
また、上記各実施形態において、照明制御装置３，３Ａ，３Ｂによって実行されるプログラムは、ＣＤ−ＲＯＭ（Compact Disc Read Only Memory）、ＤＶＤ（Digital Versatile Disc）、ＭＯディスク（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記各実施形態における照明制御装置３，３Ａ，３Ｂとして機能させることも可能である。
【００９８】
また、上記のプログラムをインターネット等の通信ネットワーク上のサーバ装置が有するディスク装置等に格納しておき、例えば、搬送波に重畳させて、コンピュータにダウンロード等するようにしてもよい。
【００９９】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロード等してもよい。
【符号の説明】
【０１００】
１,１Ａ，１Ｂ  照明制御システム、２  スイッチ装置、３，３Ａ，３Ｂ  照明制御装置、４Ａ〜４Ｇ  照明器具、５，６，８，１０，１１  通信線、７，９Ａ〜９Ｆ  確認用照明器具、２０Ａ〜２０Ｄ  スイッチ部、２１  通信部、２２，３３，３３Ａ，３３Ｂ  制御部、２３，３４  バス、３０  スイッチ通信部、３１  照明通信部、３２  データ記憶部、３５，３５Ａ  確認用照明通信部、２００  第１の操作受付部、２０１  第２の操作受付部、３３０  対象判別部、３３１，３３１Ａ  照明制御部、３３２，３３２Ａ  確認用照明制御部、３３３  確認用対象判別部
【図１】
0006463072.tif 000002
【図２】
0006463072.tif 000003
【図３】
0006463072.tif 000004
【図４】
0006463072.tif 000005
【図５】
0006463072.tif 000006
【図６】
0006463072.tif 000007
【図７】
0006463072.tif 000008
【図８】
0006463072.tif 000009
【図９】
0006463072.tif 000010
【図１０】
0006463072.tif 000011
【図１１】
0006463072.tif 000012
【図１２】
0006463072.tif 000013
【図１３】
0006463072.tif 000014
【図１４】
0006463072.tif 000015
【図１５】
0006463072.tif 000016